(57)【特許請求の範囲】
【請求項１】
かばん本体の表面と裏面の間に、もしくはかばん本体の表面の表側か裏側に設けた部分当て物とかばん本体の表面との間に、ひもやベルトその他の持ち手を挟み込み、かばん本体の表面と裏面とを、もしくはかばん本体の表面と部分当て物とを持ち手に当たらないように固定し、持ち手に沿ってかばん本体だけを上下に自由に伸縮させることによって、かばんの高さ、大きさ、形、または持ち手の長さとを変えて調整させ幾通りにも変化させることができ、また前記持ち手に持ち手カバーを付けたものであり、持ち手カバーを付けることによってとても手触り、肌触りが良く、持ち手カバーの長さがかばん本体使用時最小サイズの時に、持ち手カバーが伸びて、持ち手が見えない程の持ち手カバーの長さがあるので、外部からの衝撃により持ち手に傷など付きにくく、見た目にも美しい、また持ち手カバーがクッション材の代わりになり、胸、肩、背中、腕にかかる圧迫感が和らぎとても楽しい気分で買物ができる。持ち手カバーは持ち手に沿ってかばん本体を容積最大サイズにした時に、持ち手カバーは縮み、かばん本体の上端辺と持ち手カバーの端辺が接触する。また持ち手に沿ってかばん本体を容積最小サイズにした時に、持ち手カバーは伸び、かばん本体の上端辺と持ち手カバーの端辺が接触する。よって持ち手に沿って、かばん本体の伸縮によって、持ち手の持ち手カバーも伸縮することは容易に考え得ることではない。従来使われている持ち手カバーは、持ち手のどの位置に移動しても、またかばん本体がどのような形に変わっても、持ち手の持ち手カバー自体が伸縮することがないところが全く違う。よって持ち手に沿ってかばん本体だけを上下に自由に伸縮させることによって、かばんの高さ、大きさ、形、または持ち手の長さと持ち手の持ち手カバーの長さとを変えて調整させ幾通りにも変化させることができることを特徴とするかばん。
【請求項２】
かばん本体の表面と裏面の間に、もしくはかばん本体の表面の表側か裏側に設けた部分当て物とかばん本体の表面との間に、ひもやベルトその他の持ち手を挟み込み、かばん本体の表面と裏面とを、もしくはかばん本体の表面と部分当て物とを持ち手に当たらないように固定し、持ち手に沿ってかばん本体だけを上下に自由に伸縮させることによって、かばんの高さ、大きさ、形、または持ち手の長さとを変えて調整させ幾通りにも変化させることができ、また前記持ち手に持ち手カバーを付けたものであり、持ち手カバーを付けることによってとても手触り、肌触りが良く、持ち手カバーの長さがかばん本体使用時最小サイズの時に、持ち手カバーが伸びて、持ち手が見えない程の持ち手カバーの長さがあるので、外部からの衝撃により持ち手に傷など付きにくく、見た目にも美しい、また持ち手カバーがクッション材の代わりになり、胸、肩、背中、腕にかかる圧迫感が和らぎとても楽しい気分で買物ができる。持ち手カバーは持ち手に沿ってかばん本体を容積最大サイズにした時に、持ち手カバーは縮み、かばん本体の上端辺と持ち手カバーの端辺が接触する。また持ち手に沿ってかばん本体を容積最小サイズにした時に、持ち手カバーは伸び、かばん本体の上端辺と持ち手カバーの端辺が接触する。よって持ち手に沿って、かばん本体の伸縮によって、持ち手の持ち手カバーも伸縮することは容易に考え得ることではない。従来使われている持ち手カバーは、持ち手のどの位置に移動しても、またかばん本体がどのような形に変わっても、持ち手の持ち手カバー自体が伸縮することがないところが全く違う。よって持ち手に沿ってかばん本体だけを上下に自由に伸縮させることによって、かばんの高さ、大きさ、形、またはそれぞれの持ち手の長さと持ち手のそれぞれの持ち手カバーの長さとを変えて調整させ幾通りにも変化させることができることを特徴とするかばん。
【請求項３】
上記請求項１または２に準じ、かばん本体の開口部に覆い袋を取り付け、前記覆い袋の開口部にひも、りぼん、ぼたん、綿ファスナー、ファスナー、などの係止具を取り付けたことを特徴とするかばん。
【請求項４】
上記請求項１から３のいずれかに準じ、かばん本体に小物入れやポケットを取り付け、前記小物入れやポケットの開口部にひも、ぼたん、綿ファスナー、ファスナーなど係止具を取り付けたことを特徴とするかばん。
【発明の詳細な説明】
【技術分野】
【０００１】
本発明のかばんは、開口部を有するかばん本体を上下に伸縮させるだけで、かばん本体の高さ、大きさまたは形を変え、持ち手のそれぞれの長さを変えて調整させ幾通りにも変化させることが出来るかばんに関するものである。
【背景技術】
【０００２】
従来の買物袋のビニール袋、レジ袋は、買物の量により２〜３袋にもなると、重さで袋の持ち手が細くなり手に食い込みとても痛くて、持ちにくく不便であった。従来のエコバックの多くは折りたたみ式の補助バックとして利用していた。
【０００３】
従来のかばんの高さや大きさを変えるものがあるが、２通りの高さ調整しか変えられなかった。
【特許文献１】登録実用新案第３１０５０００号
【特許文献２】登録実用新案第３１３１４４６号
【発明の開示】
【発明が解決しようとする課題】
【０００４】
スーパーのレジ袋は将来に向け廃止されつつ、有料化している所もある。従来のかばんで買物をしている時に、スーパーの買得品などが目に入り、ついあれこれと買ってしまい持ち合わせのかばんに入らず、レジ袋を追加してしまいます。こんな時の事を思い、大き目のかばんで買物をした結果、少ない量しか買わなかった時、こんな大きなかばんを持って来なければ良かったと思う事がある。こんな時ひとつのかばんで少ない量も多い量も入り、買物の内容量に合わせた高さ、大きさまたは形のかばんで、なお、持ちやすく手提げや肩かけも楽で、見た目にもおしゃれなかばんが作れないかと考えた。
【課題を解決するための手段】
【０００５】
本発明のかばんは、かばん本体の高さ調整に関するもので、かばん本体の表面と裏面との間に持ち手を挟み込み、持ち手に当たらない様に表面と裏面を固定させる。買物の内容量や食品の高さに合わせながら、持ち手に沿って、かばん本体だけを上下方向に自由自在に伸縮させることによって、かばん本体の高さ、大きさまたは形も変えられる。よって、それぞれの持ち手の長さを相対的に変えて調整させ幾通りにも変化させることが出来る。一のかばんは食品を入れるかばん本体とこのかばん本体に設けられたの持ち手を備えている。他のかばんは食品を入れるかばん本体とこのかばん本体に設けられた複数の持ち手を備えている。
【発明の効果】
【０００６】
本発明のかばんを使う事で、必要な品物はもちろん買えて、なにより、レジ袋の追加などの余計な心配もなく、今日の買得品を見逃すことなく好きな品物を買う事が出来る。買物の量を気にすることなく、買物の内容量に合わせてかばん本体を持ち手に沿って、上下方向に伸縮させるだけで、自分で簡単にかばんの高さ、大きさまたは形を変えたかばん本体を作り上げることが出来る。また折りたたみ式の補助バックとしてではなく、本発明のかばん一つだけで買物が出来て、オリジナルでおしゃれなトートバックとして使用しながら、そのまま買物に行きエコバックとしても使用できる。
【発明を実施するための最良の形態】
【０００７】
かばんには、ポーチバック、セカンドバック、手提げかばん、ショルダーバック、ボストンバック、トートバック、スポーツバック、エコバックなどあるが、ここではエコバックについて紹介する。本発明のかばんは、かばん本体１の高さ調整に関するものである。かばん本体１は表面９と裏面１０、もしくは表面９と部分当て物１１ａ、１１ｂで構成されていて、ひもやベルトその他の持ち手２は表面９と裏面１０、もしくは表面９と部分当て物１１ａ、１１ｂの間に挟まれている。かばん本体１の表面９と裏面１０とを、もしくはかばん本体の表面９と部分当て物１１ａ、１１ｂとを持ち手２に当たらない様に固定する。すなわち持ち手２をかばん本体１に縫いつけないことになる。かばん本体１を持ち手２に沿って上下に自由自在に伸縮させることによって、かばんの高さ、大きさまたは形を変え、またそれぞれの持ち手の長さを相対的に変えて調整させ幾通りにも変化させることが出来る。かばん本体１の表面９には、綿、ナイロン、ビニール、化繊、皮、合皮または、防水撥水加工された防水素材などからなる網織物素材を用い、裏面１０には防水加工、撥水加工された防水素材または綿、ビニール、ナイロン、化繊などからなる網織物素材を用いることで、エコバックとして、またはトートバックとしても使用できるが、中でも裏面１０に防水撥水加工された防水素材を使用すれば、買物で汁物がこぼれた時にふき取れるので、エコバックの裏面１０には、防水素材を使うのが好ましい。持ち手２には、市販のひもかベルト、または表面９、裏面１０と同素材またはベルトとなりえる素材を加工して用いても同じ機能が出来る。また持ち手２には取っ手となる部分が二箇所あるので、持ちやすくする為に二箇所の取っ手をりぼん、ひも、ハンカチなどで縛るか、手のひらに当たるだけの布、幅広ベルトなどに綿ファスナー、ファスナー、ひも、ホックなど閉じられる物（係止具）で取り付け、持ち手２の二箇所の取っ手を一つにまとめ閉じるか閉じられる物の一部を一箇所の取っ手に固定して閉じても、かばん本体１の機能は可能である。
【０００８】
かばん本体１の表面９に関するものであって、かばん本体１の表面９は、表面９と、表面９の表側か裏側に設けた部分当て物１１で構成されている。部分当て物１１には部分当て物１１ａ、１１ｂが含まれている。ひもやベルトその他の持ち手２は前記表面９と前記部分当て物１１との間に挟まれている。部分当て物１１には綿、ナイロン、ビニール、化繊、皮、合皮、網、レースまたは、防水、撥水加工された防水素材などからなる網織物素材を用いる。他に金具、ひも、鎖などをはしご仕立て、クロス仕立てにしても、かばん本体１の機能が出来る。部分当て物１１を使用する場合には、前記裏面１０を使用しても使用しなくても、かばん本体１の機能が可能である。
【０００９】
かばん本体１の底面には、買物の重さに耐えられることも考えて、持ち手２を底面に一周くぐらせたり、交差させたり、はしごにさせたり、底面を別に作り底面全体を頑丈な素材で強化させても、かばん本体１の機能は可能である。
【実施例１】
【００１０】
以下、備え付けの図面に従って、一実施例を説明する。かばん本体１となる表面９と裏面１０の上端部の端辺を中表に合わせて、図１２のように上端部１２ａ、下部方の上端部１２ｂに持ち手２が入る部分穴５a、５b、５c、５dを開けてミシン目で点線のように縫い、表側に返す。図１３のように、上端部１２ａの前記部分穴５aに一本の長い持ち手２を差し込み下部方の上端部１２ｂの部分穴５ｂから出して、また下部方の上端部１２ｂの部分穴５ｃに持ち手２を差し込み上端部１２ａの部分穴５ｄから出し、前記長い持ち手２の両端辺を縫い止め、その縫い止めた持ち手２部分をかばん本体の中央部分に移動する。かばん本体１の上端部１２ａにある持ち手２の巾の両端にミシンの押え金を沿わせて持ち手２には当たらない様に、持ち手2の両側にそれぞれ０．25ｃｍ〜３ｃｍの範囲の距離をとり、かばん本体１の上端部１２ａ部分にミシン目でカンヌキ留め４をしてそのまま下部方向に、そして下部方の上端部１２ｂへとミシン目ステッチ３で縫い進みカンヌキ留め４をし、それぞれの持ち手２も同様に縫着する。かばん本体１の両側面となる表面９と裏面１０の両側面の端辺を、それぞれ中表に合わせてミシン目で縫い、図１６のように底面をつまみ縫い止めて、ひっくり返してかばん本体１を作り上げる。これによって開口部を有するかばん本体ができる。なお、この一例に限るものではない。
【００１１】
かばん本体１の表面９に関して、表面９と部分当て物１１ａ、１１ｂで構成されていて、持ち手２は表面９と部分当て物１１ａもしくは部分当て物１１ｂで挟まれているかばん本体１において説明する。部分当て物とは、たとえば図１４例１の部分当て物１１ａ、図１５例２の部分当て物１１ｂような、一部分だけの当て物である。すなわち、表面９と同じ大きさではなく表面９の大きさより部分当て物の方が小さいことを意味する。図１５において説明する。表面９と部分当て物１１ａの間に持ち手２を挟み込ませて、かばん本体１の上端部にある持ち手の巾の両端にミシンの押え金を沿わせて持ち手２には当たらない様に、上記同様の範囲の距離をとり、かばん本体１の上端部１２ａにカンヌキ留め４して、そのまま下部方向にそして下部方の上端部１２ｂへとミシン目ステッチ３で縫い進みカンヌキ留め４をして、それぞれの持ち手２も同様に縫着する。かばん本体１の両側面となる表面９の側面の端辺を中表に合わせて、ミシン目で縫い、底面をつまみ縫い止めてひっくり返してかばん本体１を作り上げる。なお、部分当て物１１ａ、１１ｂを使用するかばん本体１の場合には、全面裏地１０を使用しても使用しなくても、かばん本体１の機能が可能である。なお、この一例に限るものではない。
【００１２】
かばん本体１の開口部に覆い袋６を裏面１０、または、表面９に取り付け、買い物の中身が見えたりこぼれたりしない様に、覆い袋６の口を綿ファスナー、ファスナー、ぼたん、ホック、ひも７など閉じられる物（係止具）で閉じる。またかばん本体１の下部分に小物入れ〈ポケット〉８を付け、中身がこぼれたりしない様に小物入れ８の口を綿ファスナー、ファスナー、ひも、ぼたん、ホックなど閉じられる物（係止具）で閉じる。小物入れ８があると財布、携帯などを入れられて、かばん本体１だけを持参し身軽に買物が出来てとても便利である。また前記小物入れ８のほかの小物入れやポケットをかばん本体１の内側に取り付けその口を綿ファスナー、ファスナー、ぼたん、ひもなど閉じられる物（係止具）で閉じても、かばん本体１の機能が可能である。さらに、係止具によって中身が見えたりこぼれたりするのを更に防ぐことができる。なおこの一例に限るものではない。
【００１３】
本発明のかばんは、かばん本体１を持ち手２に添って押し下げ、図３のような小さめのかばんで買物に行き、買物後レジ時、図８のようにかばん本体１の上端部を、大きく広げて、食品、食材その他をどんどん詰め込む。だいこん、ごぼう、ねぎなどの長い食品の鮮度を保つためには、折り曲げたり、折ったりして食品に傷をつけることが出来ない。長い食品を横にする程の横幅の広いエコバックを使用する事はとても不便である。また長い食品を立てて入れる縦長のエコバックを使用する事は容易いことであるが、いつも縦長のエコバックを持ち歩く必要性はなく、見た目も悪い。そこで、本発明のかばんでは、長い食品を立てたまま、かばん本体１の左右どちらかに寄せて入れながら、かばん本体１の食品がこぼれないように、かばん本体１を長い食品の高さに合わせて、持ち手２に添って引き上げ、図１のように大きめのバックを作ることで、長い食品の鮮度を保つことが出来る。またキャベツ、かぼちゃ、りんご、みかんなどの背の低い食品は、かばん本体１の左右どちらか開いている方に入れ、低い食品の高さに合わせて、かばん本体１を持ち手２に添って押し下げ、かばん本体１の高さを、食品の高さの高い方と低い方に合わせて、持ち手２に添って上へ下へと自由自在に伸縮させると、かばん本体１の高さが一定でなく不揃いになり、形も変形してくる。よって、それぞれ４本の持ち手２の長さを相対的に変えられ、かばん本体１の高さや大きさや形を幾通りにも変えることになる。ゆえに、買物をするたびに、図９にような高さや大きさや形を調整して幾通りにも変化するかばん本体１を作り上げることが出来る。よって、かばん本体１の買物の中身が見えたり、こぼれたりするのを防ぐことが出来る。かばん本体１の持ち手２を手に持ったり、腕にかけたり、図１０のように肩にかけたりして使用し、かばん本体１の高さ、大きさまたは形を食品に合わせ調整しながら、自分の好きな形にすることにより、毎日違う形のかばんを持つことになり、楽しい気分で買物ができる。なお人それぞれ身長の違いがあるので、使用する際には図１のようにかばん本体最大サイズにして、自分で手提げ持ちして床に引きずらない長さ、または自分で調度持ちやすい長さのかばんのサイズを選び使用するのが好ましい。ポケットがあるかばんの場合は、更にポケットに入れることができる。
【実施例２】
【００１４】
本実施例のかばんは、図１７に示すように図１のかばんの持ち手２に持ち手カバー１３を付けたものである。持ち手カバー１３は持ち手２に沿ってかばん本体１を容積最大サイズにしたときは持ち手カバー１３が縮み、かばん本体１を容積最小サイズにしたときは持ち手カバー１３が伸びる大きさにしてある。かばん本体１を容積最小サイズすなわち縮めたとき、かばん本体１の上端部12a、１２ｂと持ち手カバー13の端辺が接触する。持ち手2に沿ってかばん本体１上端部の元に戻ろうとする力が持ち手カバー13に当たり、かばん本体1のストッパーのかわりをする。持ち手カバー13の素材には、かばん本体の共布、皮、合皮、綿、麻、ポリエステル、ナイロン、ビニール、化繊、または防水撥水加工された防水素材からなる網織物素材を用いたる。またひも、ループ、などの巻きつけられる物で持ち手２にからませ編み込んだり、巻いたり、交差して巻いても、持ち手カバー13の機能は可能である。持ち手カバー13を付けたかばん本体1の開口部にひも、ぼたん、りぼん、面ファスナー、ファスナー、マグネットボタン１４，ホック、など閉じられる物（係止具）、または覆い袋６で閉じても、持ち手１３の機能は可能である。またかばん本体１の下部分や内側に小物入れ、ポケット、蓋つきポケット、など物を入れられる物を付けても、持ち手カバー１３の機能が可能である。なおこの一例に限るものではない。
【実施例３】
【００１５】
図１８のような手提げバック、トートバック、ショルダー、ポシェットなどの一つの取っ手のかばんに持ち手カバー１３を付けても持ち手カバー１３の機能は可能である。ショルダー、ポシェットなどのかばんは肩に掛けたり、肩にたすき掛けにして使用することが多い。かばん本体1に持ち手カバー１３を付けて使用すると、持ち手カバー１３がクッション材のかわりになり胸、肩、背中にかかる圧迫感が和らぐ気がした。また手提げバック、トートバックなどのかばんの持ち手に持ち手カバー１３を付けて使用すると、とても手触り、肌触りがよくなる。なおかばんに持ち手カバー１３がない単数の持ち手２のかばんがあってもよい。更にかばん本体１の開口部にひも、ぼたん、綿ファスナー、ファスナー、マグネットボタン１４、ホックなど閉じられる物（係止具）で閉じたり、覆い袋６で閉じると買物の中身が見えなく、また中身がこぼれることがない。なおこの一例に限るものではない。
【産業上の利用可能性】
【００１６】
今後、環境問題などで将来に向けてスーパーのレジ袋が廃止され、個人でかごや袋を用意して買物することが予測され、本発明のかばんは利用可能性がある。
【図面の簡単な説明】
【００１７】
【図１】かばん本体最大サイズの斜視図
【図２】かばん本体幾通りサイズ中の１サイズの斜視図
【図３】かばん本体最小サイズの斜視図
【図４】かばん本体最大サイズの側面図
【図５】かばん本体最小サイズの側面図
【図６】かばん本体に覆い袋を付けたかばんの斜視図
【図７】かばん本体に小物入れ（ポケット）を付けたかばんの斜視図
【図８】買物を収納しつつある図
【図９】かばん本体を買物に合わせて、高さ、大きさ、形を整えた図
【図１０】かばん本体を使用した時の後ろ姿
【図１１】かばん本体側面の断面図
【図１２】かばん本体上端部の作成図
【図１３】かばん本体持ち手の作成図
【図１４】かばん本体表面の部分当て物の作成図例１
【図１５】かばん本体表面の部分当て物の作成図例２
【図１６】かばん本体底面の作成図
【図１７】かばんの持ち手に持ち手カバーを付けたかばんの斜視図
【図１８】一つの取っ手のかばんの持ち手に持ち手カバーを付けたかばんの斜視図
【図１９】使用例の参考図
【図２０】使用例の参考図
【符号の説明】
【００１８】
１    かばん本体
２    持ち手
３    ミシン目ステッチ
４    カンヌキ留め
５ａ  部分穴        
５ｂ  部分穴  
５ｃ  部分穴  
５ｄ  部分穴
６    覆い袋
７    ひも
８    小物入れ（ポケット）
９    表面
１０    裏面
１１ａ  部分当て物    
１１ｂ  部分当て物
１２ａ  上端部        
１２ｂ  下部方の上端部
１３    持ち手カバー
１４    マグネットボタン
【要約】
【課題】  かばん本体の高さ、大きさまたは形を買物の食品の内容量に合わせて、毎日違った高さや大きさや形に変え、ひとつのかばんに少ない量も多い量も入ることが出来るかばんを提供する。
【解決手段】  持ち手に沿って、かばん本体だけを上下に自由自在に伸縮させることによって、かばん本体の高さ、大きさまたは形を変え、持ち手のそれぞれの長さを相対的に変えて調整させ幾通りにも変化させることができることを特徴とする。  
【選択図】      図９【図１】
0004247925.tif 000002
【図２】
0004247925.tif 000003
【図３】
0004247925.tif 000004
【図４】
0004247925.tif 000005
【図５】
0004247925.tif 000006
【図６】
0004247925.tif 000007
【図７】
0004247925.tif 000008
【図８】
0004247925.tif 000009
【図９】
0004247925.tif 000010
【図１０】
0004247925.tif 000011
【図１１】
0004247925.tif 000012
【図１２】
0004247925.tif 000013
【図１３】
0004247925.tif 000014
【図１４】
0004247925.tif 000015
【図１５】
0004247925.tif 000016
【図１６】
0004247925.tif 000017
【図１７】
0004247925.tif 000018
【図１８】
0004247925.tif 000019
【図１９】
0004247925.tif 000020
【図２０】
0004247925.tif 000021